(57)【要約】【課題】軒樋を接続する継手の前面板を伝って雨水が下方に落下しにくい軒樋の継手装置を提供する。【解決手段】軒樋の前壁板の外面に沿わせる継手の前面板を上下に２分割して分割空間を形成し、前記２分割して形成した上部板と下部板とを上下に間隔を隔てて爪嵌合片で連結し、継手内に挿入した軒樋の長手方向の端部を爪嵌合片で係止させて、継手の分割空間を軒樋の凹溝に重ねて位置させた軒樋の継手装置である。さらに、継手の下部板の屋外側上端に雨だれ防止片を突設した軒樋の継手装置である。【選択図】図１
2006219825.tif 000002
【特許請求の範囲】
【請求項１】
屋外側に位置する軒樋の前壁板（１３）にその長手方向に亙って内方に凹没させた凹溝（５）を設けてその凹溝（５）に導水孔（６）を配設した軒樋（１）を、長手方向の端部を対向させて配置すると共に、対向する軒樋（１、１）同士の間に配置した継手（２）の左右端部の内面にそれぞれ軒樋（１）の外面を沿わせて接続させたことで軒樋（１）を接続した軒樋の継手装置にあって、前壁板（１３）の外面に沿わせる継手（２）の前面板（２１）を上下に２分割して分割空間（３）を形成し、前記２分割して形成した上部板（２２）と下部板（２３）とを上下に間隔を隔てて爪嵌合片（４）で連結し、継手（２）内に挿入した軒樋（１）の長手方向の端部を爪嵌合片（４）で係止させて、分割空間（３）を軒樋（１）の凹溝（５）に重ねて位置させた軒樋の継手装置。
【請求項２】
前記下部板（２３）の屋外側上端に雨だれ防止片（８）を突設した請求項１に記載の軒樋の継手装置。
【発明の詳細な説明】
【技術分野】
【０００１】
本発明は、軒樋の継手装置に関する。
【背景技術】
【０００２】
底壁板と底壁板前端から立ち上がりその上部板が後方に傾斜している前壁板と底壁板後端から立ち上がる後壁板とからなり、前壁板の下部板長手方向に外面から内方へ凹溝を有した軒樋の外周面を接続する軒樋の継手は、継手の前面板の上部板に降りかかった雨水を継手に接続した軒樋の凹溝に流し込む為、軒樋の凹溝の外側に位置する前面板の継手凹溝を、内側へ凹没させるように形成している。前面板の上部板で受けた雨水は、継手凹溝の左右端部から軒樋の凹溝に流入し、軒樋の凹溝の底部に設けられた開口部より軒樋の内部に流入する手段が提案された（例えば特許文献１）。
【特許文献１】特開平１１−４４０６０号公報
【発明の開示】
【発明が解決しようとする課題】
【０００３】
本発明は、軒樋を接続する継手の前面板を伝って雨水が下方に落下しにくい軒樋の継手装置を提供することにある。
【課題を解決するための手段】
【０００４】
本発明者は、前記課題を達成するため鋭意検討した結果、継手の前面板を上下に２分割して継手凹溝をなくして、分割空間を形成することによって、その分割空間から軒樋の凹溝へ雨水が入りやすいことを見出し、本発明を完成した。
【０００５】
即ち、本発明は、屋外側に位置する軒樋の前壁板にその長手方向に亙って内方に凹没させた凹溝を設けてその凹溝に導水孔を配設した軒樋を、長手方向の端部を対向させて配置すると共に、対向する軒樋同士の間に配置した継手の左右端部の内面にそれぞれ軒樋の外面を沿わせて接続させたことで軒樋を接続した軒樋の継手装置において、前壁板の外面に沿わせる継手の前面板を上下に２分割して分割空間を形成し、前記２分割して形成した上部板と下部板とを上下に間隔を隔てて爪嵌合片で連結し、継手内に挿入した軒樋の長手方向の端部を爪嵌合片で係止させて、分割空間を軒樋の凹溝に重ねて位置させた軒樋の継手装置ある。さらに、前記下部板の屋外側上端に雨だれ防止片を突設することが好ましい。
【発明の効果】
【０００６】
本発明によれば、継手の前面板を上下に２分割して継手凹溝をなくして分割空間を形成したことによって、軒樋と継手が接続された外観にあって軒樋の凹溝と継手の分割空間が一体となり、従来あった軒樋の凹溝と継手凹溝との凹没量の差による外観の違和感がなくなると共に、継手の分割空間から軒樋の凹溝を経て凹溝に配設された導水孔へと雨水が入り、継手の前面板を伝って雨水が下方に落下しにくい軒樋の継手装置を得ることができる。
【発明を実施するための最良の形態】
【０００７】
以下に、本発明の軒樋の継手装置の実施の形態を示す図面を参照しつつ、詳細に説明する。
【０００８】
本発明の軒樋の継手装置の継手２の材質は、屋外に使われるプラスチック建材として従来公知の樹脂を適宜選択でき、特に限定するわけではないが、例えば、硬質塩化ビニル樹脂、アクリル樹脂、ポリカーボネート樹脂、ＡＥＳ樹脂（アクリロニトリル・エチレン−プロピレンゴム・スチレン樹脂）等の熱可塑性樹脂やこれらの混合物を含むものを使用できる。また、軒樋１の材質は、継手２と同一であっても異なるものであってもよい。
【０００９】
軒樋１は、図１に示すように、底壁板１２と底壁板前端から立ち上がる前壁板１３と底壁板後端から立ち上がる後壁板１４とからなる。前壁板１３は、前壁上部板１３２と前壁下部板１３３とで形成されており、前壁下部板１３３は、底壁板前端から立ち上がって上方へいくにしたがって前方へいくように傾斜しており、前壁上部板１３２は、上方へいくにつれて後方に傾斜している。前面下部板上端には、横手方向に外面から内方へ凹溝５を設けてあり、さらに、その凹溝５に導水孔６が配設されてある。
【００１０】
継手２は、図２に示すように、軒樋１，１を直線状に接続するもので、屋外側に位置する前面板２１と、建屋側に位置する後面板２４と、この両者の下辺を接続する底面板２５とで構成され、内側には軒樋１形状に沿って爪嵌合片４が設けられている。前面板２１の上部板２２と下部板２３は軒樋１の凹溝５に相当する位置で上下に２分割され分割空間３を形成し、２分割された上部板２２と下部板２３とを上下に間隔を隔てて爪嵌合片４で連結されている。
【００１１】
また、爪嵌合片４は、図３〜図５に示すように、継手２内に挿入した軒樋１，１の長手方向の端部を爪嵌合片４で当接させ、例えば接着剤を塗布して、軒樋１と継手２を固定するため、軒樋１の板厚が挿入できるように、継手２内側の幅方向中央部に略コ字状の断面を有し、継手２の内周面全長に亘って形成されている。
【００１２】
次に、継手２の前面板２１を伝って雨水が下方に落下する排水経路について説明する。先ず、前面板２１の上部板２２に降った雨水は、上部板２２の壁面を伝いながら分割空間３へ落ち、軒樋１、１の凹溝５に集まり、さらに凹溝５に定間隔で配設されている導水孔６から軒樋１内へ流れ込む。
【００１３】
また、雨だれ防止片８を設けることにより、継手２の上部板２２に降った雨水で風などの影響で分割空間３へ集まらない雨水を、雨だれ防止片８を案内片として分割空間３へ流入させるものであり、その形状は特に限定されるものではないが、少なくとも、継手２の長手方向に沿って連続的に、下部板２３の屋外側上端に水平又は水平より上方に突設してあるのが望ましい。
【００１４】
このようにして本発明の軒樋の継手装置は、軒樋と継手が接続された外観にあって、継手の分割空間を軒樋の凹溝に重ねて位置させたことにより、軒樋の凹溝と継手の分割空間が一体となり、従来あった軒樋の凹溝と継手凹溝との凹没量の差による外観の違和感がなくなると共に、分割空間から軒樋の凹溝を経て凹溝に配設された導水孔へと雨水が入り、継手の前面板を伝って雨水が下方に落下しにくい。
【実施例】
【００１５】
以下に、実施例に基づいて図１〜図７を参照にしながら詳細に説明するが、本発明は実施例により限定されるものではない。
【００１６】
（実施例１）本実施例の軒樋１は、硬質塩化ビニル樹脂製で二軸押出機を用いて押出成形により賦形した。継手２は、硬質塩化ビニル樹脂製で射出成型機を用いて射出成形により賦形した。軒樋１は、開口部１３０ｍｍ、前壁板（１３）高さ１２０ｍｍ、後壁板（１４）高さ６８ｍｍで、前壁上部板（１３２）が後方に３０ｍｍ傾斜し、凹溝（５）は８ｍｍである。継手２の内形は、軒樋１の外形に合った大きさであり、幅寸法は１００ｍｍである。
【００１７】
本実施例の軒樋の継手装置の手順を説明する。先ず、建物の鼻隠し板に、複数の樋吊具（図省略）を配置し取付け間隔から取付け位置を決め、樋吊具の取付部をネジなどで固着する。次に、軒樋１、１の後壁耳部１４１を各樋吊具の後耳保持部に嵌合して係止し、この状態で隣接する軒樋１、１同士の両端面を合わせる。次に、継手２の爪嵌合片４の全周面に接着剤を塗布する。更に、接続される両軒樋１、１の長手方向端部の後壁板１４縁端に設けられている後壁耳部１４１へ継手２の後面板２４縁端の後耳押さえ部２４１を係合させた後、前壁板１３縁端に設けられている前壁耳部１３１と継手２の前面板２１縁端の前耳押さえ部２１１を係合させて、軒樋１、１の端部を爪嵌合片４に当接させて軒樋１、１と継手２を接続する。
【００１８】
次に、後壁耳部１４１を中心として軒樋１を時計回り方向に回転させ、軒樋１の前壁耳部１３１を樋吊具の前耳保持部及び継手２の前耳押さえ部２１１に嵌合して係止する。この作業の繰り返しで、継手２にて接続した軒樋１を建物の鼻隠し板の前に位置する樋吊具に設置できる。
【００１９】
（実施例２）本実施例の軒樋１は、雨だれ防止片８を１０ｍｍの幅で付けた以外は、実施例１と同様にして軒樋の継手装置を得た。
【図面の簡単な説明】
【００２０】
【図１】本発明の軒樋の継手装置の一実施形態を示す分解斜視図である。
【図２】同じく概略断面図である。
【図３】同じく継手の斜視図である。
【図４】同じく継手の要部拡大図である。
【図５】同じく継手の爪嵌合片の概略断面図である。
【図６】他の実施例における概略断面図である。
【図７】従来技術の軒樋の継手装置の要部断面図である。
【符号の説明】
【００２１】
１    軒樋
１２  底壁板
１３  前壁板
１３１  前壁耳部
１３２  前壁上部板
１３３  前壁下部板
１４  後壁板
１４１  後壁耳部
２    継手
２１  前面板
２１１  前耳押さえ部
２２  上部板
２３  下部板
２４  後面板
２４１  後耳押さえ部
２５  底面板
３    分割空間
４    爪嵌合片
５    凹溝
６    導水孔  
７    継手凹溝
８    雨だれ防止片
【図１】
2006219825.tif 000003
【図２】
2006219825.tif 000004
【図３】
2006219825.tif 000005
【図４】
2006219825.tif 000006
【図５】
2006219825.tif 000007
【図６】
2006219825.tif 000008
【図７】
2006219825.tif 000009